(57)【要約】【課題】歌手名をどうしても思い出せない場合でも歌手の画像から歌手名を簡易且つ迅速に思い出すことができるカラオケ選曲用目次本を提供する。【解決手段】歌手の少なくとも顔部分を含む画像４を主として且つ当該画像４に対応する歌手名６を関連付けした状態で、複数の歌手を一覧できるように掲載した歌手画像一覧頁２を備え、該歌手画像一覧頁２に掲載されている歌手の画像４を、特定の条件に従って選択し分類する。【選択図】図１
0003148511.tif 000002
【実用新案登録請求の範囲】
【請求項１】
歌手の少なくとも顔部分を含む画像を主として且つ当該画像に対応する歌手名を含む第１の情報が関連付けされた状態で、複数の歌手が一覧できるように掲載された歌手画像一覧頁を備え、
該歌手画像一覧頁に掲載されている前記歌手の画像が、特定の条件に従って選択され分類されている
ことを特徴とするカラオケ選曲用目次本。
【請求項２】
請求項１において、
更に、前記第１の情報に基づいて分類され、前記歌手の持ち歌に関連する詳細な第２の情報が掲載された詳細情報頁を備える
ことを特徴とするカラオケ選曲用目次本。
【請求項３】
請求項２において、
前記第２の情報には、曲名およびカラオケ機器入力用コード番号、並びに、少なくとも歌い出しの歌詞、原曲のキー設定情報、カラオケコンテンツ情報のうち１つ以上が含まれている
ことを特徴とするカラオケ選曲用目次本。
【請求項４】
請求項１〜３のいずれかにおいて、
更に、カラオケが提供される店舗に関連する第３の情報が掲載された店舗情報頁を備える
ことを特徴とするカラオケ選曲用目次本。
【請求項５】
請求項４において、
前記第３の情報には、店舗名、住所、電話番号、ホームページアドレス、営業日、営業時間、料金、メニューのうち１つ以上が含まれている
ことを特徴とするカラオケ選曲用目次本。
【請求項６】
請求項１〜５のいずれかにおいて、
前記歌手の画像が、年代別に選択され分類されている
ことを特徴とするカラオケ選曲用目次本。
【請求項７】
請求項６において、
前記歌手の画像は、各年代における当時の画像である
ことを特徴とするカラオケ選曲用目次本。
【請求項８】
請求項１〜５のいずれかにおいて、
前記歌手の画像が、当該歌手が所属する特定の団体別に選択され分類されている
ことを特徴とするカラオケ選曲用目次本。
【考案の詳細な説明】
【技術分野】
【０００１】
本考案は、娯楽として広く親しまれているカラオケの技術分野に属し、より詳しくは、カラオケを選曲する際に用いる目次本に関する。
【背景技術】
【０００２】
現在、カラオケは日常のレジャーの一つとして全国にわたって定着しており、近年においては毎年のべ４０００万〜５０００万人が利用していると推計されている（全国カラオケ事業者協会推計値に基づく）。また、カラオケを行うためのカラオケ機器が設置されている施設としては、所謂「カラオケボックス」を中心として、バーやスナック、パブ、クラブ等多岐に渡っている。
【０００３】
また、カラオケ機器の高度化に伴い、ユーザーが選曲することができる曲の数（種類）も膨大となっている。そのためユーザーは、選曲にあたって恰も電話帳の如く分厚い目次本（選曲集）を利用して目的の曲を選び出し、カラオケ機器に選曲した曲に対応するコード番号を入力してカラオケを楽しむという作業を行っていた。
【０００４】
しかし一方で、情報処理装置の高度化・小型化の進展に伴って、この分厚い目次本に代わってタッチパネルなどの入力・選択手段を備えた電子目次本装置（例えば「デンモク」（登録商標））の普及が進んでいる（特許文献１を参照）。このような電子目次本装置の登場によって、ユーザーは分厚い目次本を用いて目的とする曲を探し出す不便さから開放され、タッチパネル等を利用して、歌手名、ジャンル、新曲、カラオケコンテンツの内容（例えば歌手本人の出演の有無など）、デュエット、歌い出しの歌詞…等の各個人が利用しやすい分類項目からより簡単かつ迅速に目的とする曲を探し出すことができるようになっている。
【特許文献１】特開２００５−２８３８０６号公報
【考案の開示】
【考案が解決しようとする課題】
【０００５】
しかしながら、時として、どうしても歌手名を思い出せないことがある。特に中高年者の場合や、お酒を飲みながらカラオケを利用している場合にはこのような状況に至ることが多い。
【０００６】
このような場合においての思い出す手段としては、例えば、目次本の歌手名の欄を「あいうえお順」に頭から目で追って探したり、電子目次本の歌手名の分類項目を虱潰しに当ることで探し出すことが考えられる。しかしそのような手法は時間を要するばかりか、掲載されている歌手名の多さも起因して、結局探し出せずに諦めることになる場合もある。更には、目的とする歌手が掲載されている周辺に到達したとしてもその歌手名自体がうろ覚え状態であるような場合は、結局最後の１つまで特定できないこともある。
【０００７】
一方で、人間の記憶のメカニズムに起因するものであろうか、上記のような状況下にあっても、画像（例えば顔写真）として特定することはそれほど困難でない場合が多い。具体的には、例えば、歌手の顔写真を見れば自分が探し出そうとしている歌手を最後の１つとして特定することはそれほど困難ではない。
【０００８】
そこで考案者は、このような人間の性質を利用して、歌手名をどうしても思い出せない場合でも歌手の画像から歌手名を簡易且つ迅速に思い出すことができるカラオケ選曲用目次本を提供することをその課題としている。
【課題を解決するための手段】
【０００９】
本考案は、歌手の少なくとも顔部分を含む画像を主として且つ当該画像に対応する歌手名を含む第１の情報が関連付けされた状態で、複数の歌手が一覧できるように掲載された歌手画像一覧頁を備え、該歌手画像一覧頁に掲載されている前記歌手の画像が、特定の条件に従って選択され分類されていることを特徴としている。
【００１０】
このような目次本構造を採用したことによって、ユーザーが歌手画像一覧頁を用いて画像をスキャンするように概観するだけで、目的となる歌手に容易に辿り着くことが可能となる。更に各画像には少なくとも歌手名が関連付けされているため、この関連付けられた歌手名により確実に歌手の名前を特定することが可能となっている。
【００１１】
また、更に、前記第１の情報に基づいて分類され、前記歌手の持ち歌に関連する詳細な第２の情報が掲載された詳細情報頁を備える構造を採用することで、目的とする歌手の持ち歌に関連するより詳細な情報（例えば、曲名およびカラオケ機器入力用コード番号、歌い出しの歌詞、原曲のキー設定情報、カラオケコンテンツ情報など）に容易にアクセスすることができ、カラオケを選曲する際の選択肢の幅が広がるといった効果を有する。更に、このような構造を採用しておけばカラオケ機器が必要とする曲のコード番号にも当該目次本のみで辿り着けるため、仮に電子目次本装置が故障等により使用できない状況下にあっても、手入力によりカラオケを楽しむことが可能となる。
【００１２】
また、更に、カラオケが提供される店舗に関連する第３の情報（例えば、店舗名、住所、電話番号、ホームページアドレス、営業日、営業時間、料金、メニューなど）が掲載された店舗情報頁を備えるという構造を採用することで、選曲の際に（または選曲の合間などに）その店舗の詳細を知ることができるため、ユーザーが心理的にも安心してカラオケを楽しめる環境を提供することができ、更なる顧客満足度の向上に寄与できる。加えて店舗側にとっても、自店の店舗名やメニューなどを目次本に掲載しておくことで宣伝広告効果が期待できる。
【００１３】
また、前記歌手の画像が、年代別に選択され分類されている構造を採用すれば、ユーザーの記憶として残っている「あの頃に流行っていた曲」という情報を頼りに、より迅速に目的とする歌手、更には曲へと辿り着くことができる。
【００１４】
このとき画像を、各年代における当時の画像としておくことで、画像と記憶とのマッチングをより確実にすることが可能となる。
【００１５】
また、前記歌手の画像が、歌手が所属する特定の団体別（例えば社団法人日本歌手協会）に選択され分類されている構造を採用すれば、当該団体を介して一括して画像の使用許諾（肖像権に基づく許諾等）を得ることができるといった利点がある。
【００１６】
なお、本考案における「歌手名」は、個人名のみならずグループ名も含み得る概念であることを付記しておく。
【考案の効果】
【００１７】
本考案により、歌手名を確実且つ迅速に思い出すことができるため、その分、歌う時間や会話を楽しむ時間を充実させることができる。特に、中高年者や飲酒しながらカラオケを楽しんでいる場合に有効である。
【考案を実施するための最良の形態】
【００１８】
以下、添付図面を参照しつつ、本考案の実施形態の一例について詳細に説明する。
【００１９】
図１は、本考案にかかる目次本１を示した斜視図であって、歌手画像一覧頁２を見開いた状態を示した図である。図２は、本考案にかかる目次本１を示した正面図であって、詳細情報頁８を見開いた状態を示した図である。図３は、詳細情報頁８の第２の実施例を示した図である。図４は、本考案にかかる目次本１を示した正面図であって、店舗情報頁１０の構造を示した図である。図５は、歌手画像一覧頁２の第２の実施例を示した図である。図６は、本考案にかかる目次本１の作用を概念的に示した図である。
【００２０】
〈目次本の構造〉
本考案にかかるカラオケ選曲用目次本（以下単に「目次本」という。）１は、複数枚の紙が製本された状態に構成されている。
【００２１】
目次本１の最初の方の頁には、少なくとも１頁以上に渡って連続して歌手画像一覧頁２が配置されている。この歌手画像一覧頁２は、最低限１頁存在していれば足り、特段頁数の上限はない。
【００２２】
歌手画像一覧頁２には、歌手（グループの場合はグループ全体）の画像４と、当該歌手に対応する歌手名（グループの場合はグループ名）６とが関連付けされた状態で掲載されている。ここでは、画像４が歌手名の５０音順（特定の条件）に従って配列されている。勿論５０音順に限らず、図５に示しているように年代別に配列したり、その他にも男女別、ランキング別、出身都道府県別、特定の団体（例えば社団法人日本歌手協会）に所属する歌手別やこれらの組合せなど種々の条件に従って選択し配列することが可能である。また、画像４は少なくとも歌手の顔面部分が含まれていれば足り、必要に応じて上半身、全身を掲載しても良い。また、ここで言う「画像」は必ずしも写真である必要はなく、似顔絵のようなイラストでもよいし、写真とイラストとを組合せたものを使用してもよい。
【００２３】
また、画像４に関連付けされた歌手名６は、本考案でいう「第１の情報」に相当する。ここでは歌手名６のみを第１の情報としているが、歌手名６を含んでいる限りその他の情報を含んでいてもよい。例えば、当該歌手の代表曲や経歴、更には当該歌手の持ち歌に関連する詳細な情報（第２の情報）が掲載されている頁数が記載されていてもよい（第２の情報に関する詳細は後述する。図５拡大部分参照）。また、添付図面では１頁につき１６人（または９名）の歌手の画像４が配列されているが、１頁について複数の画像４が配列されている限りにおいてその数は特に限定されるものではない。なお、「関連付けられた状態」とは、画像４と歌手名６との対応関係が理解できればよく、画像４の中に埋め込まれるような態様で歌手名６が記載されている場合は勿論のこと、画像４と離れた位置に歌手名６が記載されている場合でも何ら差し支えない。
【００２４】
ただし、歌手画像一覧頁２は、歌手の画像を視覚的に概観して（パッと見て）目的とする歌手を特定し、更に歌手名を特定する（思い出す）ことを目的とする頁であるため、あくまでも歌手の画像４が主となるように配置されていることが必要となる。この条件に反しない範囲において第１の情報を適宜選択して掲載することができる。例えば、より具体的に言うならば、「画像４が主となるように配置されている」と言えるためには、歌手画像一覧頁２における画像４部分の占有する面積が、地模様部分（何も印刷されずに残っている部分）を除く頁全体の面積の４割を超えていることが望ましい。
【００２５】
また、歌手画像一覧頁２の後方の頁には、歌手毎に分類され、当該歌手の持ち歌に関連する詳細な情報（第２の情報）が掲載された詳細情報頁８が配置された構造となっている。ここでは歌手の持ち歌に関連する詳細な情報（第２の情報）として、歌手毎に、曲名と当該曲に対応するコード番号（カラオケ機器に曲を入力するために設定されているコード番号）が掲載されている（図２参照）。もちろんこれらに限らず、例えば、図３に示しているように「歌い出しの歌詞」を追記したり、その他にも、原曲のキー設定情報、カラオケコンテンツ情報（例えば歌手本人が映像中に登場するか否かなど）が追記されていてもよい。
【００２６】
なお、図２に示しているように、例えば紙面端部にあいうえお順などのインデックス部７を設けておくことにより、歌手名６に基づいて第２の情報へのアクセスをより容易且つ迅速に行うことができる。
【００２７】
また、詳細情報頁８の後方の頁には、カラオケが提供される店舗に関連する情報（例えば、店舗名、住所、電話番号、ホームページアドレス、営業日、営業時間、料金、メニューなど）が掲載された店舗情報頁１０が配置された構造とされている。特にこの店舗情報頁１０を目次本１の最終頁に配置したり、表紙の裏面（見返し）や裏表紙の裏面に配置すればユーザーの目に止まりやすく、当該店舗の広告宣伝効果を最大限に発揮させることができる。
【００２８】
このように、本考案を適用した目次本１は、歌手の少なくとも顔部分を含む画像４を主として且つ当該画像４に対応する歌手名６を含む第１の情報が関連付けされた状態で、複数の歌手が一覧できるように掲載された歌手画像一覧頁２を備え、この歌手画像一覧頁２に掲載されている歌手の画像４が、特定の条件に従って選択され分類されている。
【００２９】
このような目次本構造を採用したことによって、ユーザーが歌手画像一覧頁２を用いて画像４をスキャンするように概観するだけで、目的となる歌手に容易に辿り着くことが可能となる。更に各画像４には少なくとも歌手名６が関連付けされているため、この関連付けられた歌手名６により確実に歌手の名前を特定することが可能となっている。
【００３０】
また、更に、第１の情報（ここでは歌手名）に基づいて分類され、歌手の持ち歌に関連する詳細な第２の情報（ここでは曲名やコード番号）が掲載された詳細情報頁８を備える構造を採用することで、目的とする歌手の持ち歌に関連するより詳細な情報に容易にアクセスすることができ、カラオケを選曲する際の選択肢の幅を広げている。
【００３１】
このような構造を採用しておけばカラオケ機器３０（図６参照）が必要とする曲のコード番号にも当該目次本１のみで辿り着けるため、仮に電子目次本装置２０（図６参照）が故障等により使用できない状況下にあっても、手入力によりカラオケを楽しむことが可能となる。
【００３２】
また、更に、カラオケが提供される店舗に関連する第３の情報（例えば、店舗名、住所、電話番号、ホームページアドレス、営業日、営業時間、料金、メニューなど）が掲載された店舗情報頁１０を備えるという構造を採用することで、選曲の際に（または選曲の合間などに）その店舗の詳細を知ることができるため、ユーザーが心理的にも安心してカラオケを楽しめる環境を提供することができ、更なる顧客満足度の向上に寄与できる。加えて店舗側にとっても、自店の店舗名やメニューなどを目次本１に掲載しておくことで宣伝広告効果が期待できる。
【００３３】
また、歌手の画像４を、年代別に選択し分類しておけば、ユーザーの記憶として残っている「あの頃に流行っていた曲」という情報を頼りに、より迅速に目的とする歌手、更には曲へと辿り着くことができる。このとき画像４を、各年代における当時の画像としておくことで、画像４と記憶とのマッチングをより確実にすることが可能となる。
【００３４】
また、歌手の画像４を、歌手が所属する特定の団体別（例えば社団法人日本歌手協会）に選択して分類するという構造を採用すれば、当該団体を介して一括して画像４の使用許諾（肖像権に基づく許諾等）を得ることができるといった利点がある。
【００３５】
なお、歌手画像一覧頁２は最低限１頁存在していれば足りることは上記で説明しているが、このことは即ち、１枚のシートをパウチ処理したようなものでも該当し得るという意味である。例えば、表面が歌手画像一覧頁２とされ、裏面が店舗情報頁１０とされているような場合である。
【００３６】
〈目次本の作用〉
以下、図６を参照しつつ、目次本１の作用について説明する。
【００３７】
ユーザーはまず目次本１の歌手画像一覧頁２をざっと目を通すように概観する。歌手画像一覧頁２は歌手の画像４が主となるように配列される構造となっているため、概観するだけで目的とする歌手を画像として捉え特定することができる。また、当該画像４には歌手名６が関連付けられているため、ユーザーは歌手名を確実に思い出すことができる。歌手名を思い出した後は、電子目次本装置２０を利用して歌手名から目的の曲を検索・特定し、カラオケを楽しむ。若しくは、目次本１が詳細情報頁８を備えている場合には、直接カラオケ機器３０にコード番号を入力してカラオケを楽しむこともできる。
【図面の簡単な説明】
【００３８】
【図１】本考案にかかる目次本を示した斜視図であって、歌手画像一覧頁を見開いた状態を示した図である。
【図２】本考案にかかる目次本を示した正面図であって、詳細情報頁を見開いた状態を示した図である。
【図３】詳細情報頁の第２の実施例を示した図である。
【図４】本考案にかかる目次本を示した正面図であって、店舗情報頁構造を示した図である。
【図５】歌手画像一覧頁の第２の実施例を示した図である。
【図６】本考案にかかる目次本の作用を概念的に示した図である。
【符号の説明】
【００３９】
１…カラオケ選曲用目次本
２…歌手画像一覧頁
４…画像
６…歌手名（第１の情報）
７…インデックス部
８…詳細情報頁
１０…店舗情報頁
２０…電子目次本装置
３０…カラオケ機器
【図１】
0003148511.tif 000003
【図２】
0003148511.tif 000004
【図３】
0003148511.tif 000005
【図４】
0003148511.tif 000006
【図５】
0003148511.tif 000007
【図６】
0003148511.tif 000008